(57)【要約】    【課題】  確実に梯子の転倒を防止する。    【解決手段】  転倒防止装置Ｂを実質的に構成する支脚７の基端部を取付金具８を介して梯子の脚柱１に揺動可能に取り付け、外管７１と外管７１内に摺動可能に配設した内管７２とから支脚７を構成し、内管７２に所定ピッチで複数の貫通孔７３を設け、外管７１にロック用ストッパ７４を設け、ロック用ストッパ７４を貫通孔７３に挿通して、支脚７を伸縮可能に構成し、取付金具８に位置決孔８３ａ、８３ｂを穿設し、支脚７の外管７１の位置決孔に対応する位置にコイルバネにより外方に付勢されたストッパピンを設け、位置決孔にストッパピンを挿入し、左右の取付金具８同士を踏桟４中に遊嵌した支脚繋材により連結する。【選択図】        図５
2005139812.tif 000002
【特許請求の範囲】
【請求項１】
左右一対の脚柱間に複数の踏桟を設けた梯子の転倒防止装置において、左右の上記脚柱にそれぞれ支脚の基端部を取り付け、上記支脚の先端を上記脚柱の接地点の外側後方の領域に接地可能としたことを特徴とする梯子の転倒防止装置。
【請求項２】
上記支脚を伸縮可能にしたことを特徴とする請求項１に記載の梯子の転倒防止装置。
【請求項３】
上記支脚の上記基端部を取付金具を介して上記脚柱に揺動可能に取り付けたことを特徴とする請求項１または２に記載の梯子の転倒防止装置。
【請求項４】
左右の上記支脚の上記基端部を上記踏桟中に遊嵌した支脚繋材により連結したことを特徴とする請求項１、２または３のいずれかに記載の梯子の転倒防止装置。
【請求項５】
上記支脚の上記基端部の近傍にストッパピンを取り付け、上記取付金具に位置決孔を設け、上記位置決孔に上記ストッパピンを挿入したことを特徴とする請求項３、４に記載の梯子の転倒防止装置。
【請求項６】
一方の上記支脚に連結ベルトの一端を連結固定し、上記連結ベルトの他端を上記踏桟中に通して他方の上記支脚に緊縛可能に連結したことを特徴とする請求項１〜５のいずれかに記載の梯子の転倒防止装置。
【発明の詳細な説明】
【技術分野】
【０００１】
この発明は梯子の転倒を防止する梯子の転倒防止装置に関するものである。
【背景技術】
【０００２】
従来、梯子の構造としては、左右一対の脚柱間に複数の踏桟を設けただけの単純な構造のものが一般的であり、壁面などに立て掛けて用いていた。
【０００３】
このような梯子は屋根などのような高所に移る場合であれば問題ないが、梯子上部にとどまって何らかの作業を行なう場合は不安定であるために、梯子の下部を補助者が押さえているのが現状である。
【０００４】
しかし、作業効率から考えると補助者なしで作業を行なうことが好ましいことから、梯子に対して左右方向（横方向）に張り出すアウトリガーを設けて安定性を向上させたものが提案された。このようなアウトリガーの構造としては、それぞれ左右方向に伸縮するようにした左右伸縮杆と、左右伸縮杵の先端に上下進退可能に取り付けたネジ管とを具備するものであり、ネジ管の下端には滑り止め機能を有する脚座を設けている。
【発明の開示】
【発明が解決しようとする課題】
【０００５】
ところが、上記した従来のアウトリガーは、接地する左右の脚座間の距離が広がり、確かに左右方向への転倒防止には効果大であるものの、梯子を壁面に立て掛けて、梯子の上部で壁面に対して例えばドリル作業などを行なったりした場合、壁面からの反力に対しては抗し難く、確実に転倒を防止できるものとはいえなかった。特に、近年では多段に伸延する構造の梯子が増加し、かなりの高さまで伸延させて作業をすることが多いことから、梯子上で行なう作業によっては、結局は梯子を押さえる補助者が必要になっていた。したがって、上記してきた従来の梯子を工事などに用いる場合は人件費などが嵩みコスト高になっていた。
【０００６】
本発明は上述の課題を解決するためになされたもので、確実に梯子の転倒を防止することができる梯子の転倒防止装置を提供することを目的とする。
【課題を解決するための手段】
【０００７】
この目的を達成するため、本発明においては、左右一対の脚柱間に複数の踏桟を設けた梯子の転倒防止装置において、左右の上記脚柱にそれぞれ支脚の基端部を取り付け、上記支脚の先端を上記脚柱の接地点の外側後方の領域に接地可能とする。
【０００８】
この場合、上記支脚を伸縮可能にしてもよい。
【０００９】
これらの場合、上記支脚の上記基端部を取付金具を介して上記脚柱に揺動可能に取り付けてもよい。
【００１０】
これらの場合、左右の上記支脚の上記基端部を上記踏桟中に遊嵌した支脚繋材により連結してもよい。
【００１１】
また、上記支脚の上記基端部の近傍にストッパピンを取り付け、上記取付金具に位置決孔を設け、上記位置決孔に上記ストッパピンを挿入してもよい。
【００１２】
また、一方の上記支脚に連結ベルトの一端を連結固定し、上記連結ベルトの他端を上記踏桟中に通して他方の上記支脚に緊縛可能に連結してもよい。
【発明の効果】
【００１３】
本発明に係る梯子の転倒防止装置においては、梯子の転倒を可及的に防止することが可能となり、特に梯子の上部で作業を行なう場合に、梯子の後方へ反力を受けたりしても、転倒を確実に防止できるので安全性が高く、梯子を押さえる補助者が不要となるので作業効率が高まり、コスト低減を図ることが可能となる。
【００１４】
また、支脚を伸縮可能にしたときには、より安定性を増すことができるとともに、左右の支脚の長さを変更することにより、左右の支脚の各接地面の凹凸状態や段差に対応可能となる。したがって、梯子の使用個所に制限がほとんどなく、どのような場所でも高所作業を安全に行なうことが可能となる。
【００１５】
また、支脚の基端部を取付金具を介して脚柱に揺動可能に取り付けたときには、脚柱の側部に沿って略平行状態に収納することができるから、梯子の運搬時などに支脚が物にぶつかったりすることがなく、また収納時の保管スペースも小さくてすむので取扱性が良好となる。
【００１６】
また、支脚の基端部を踏桟中に遊嵌した支脚繋材により連結したときには、一方の支脚を動かせば他方の支脚も連動するから、左右の支脚の後方への開脚の開脚角度が等しくなってバランスがよくなり、転倒防止作用を確実に発揮するとともに、支脚の開脚動作や収納動作などを迅速かつ簡単に行なうことができる。しかも、支脚繋材は外からは見えずスマートであり、さらに支脚繋材は踏桟により保護されるから、外部からの衝撃が加わったりしても支脚繋材が曲がったりして作動に悪影響を及ぼすおそれがない。
【００１７】
また、支脚の基端部の近傍にストッパピンを取り付け、取付金具に位置決孔を設け、位置決孔にストッパピンを挿入したときには、支脚の左右方向への開脚の開脚角度が一定に保持されるので、誤って支脚を蹴ったりしても支脚が動くことがなく安定する。
【００１８】
また、一方の支脚に連結ベルトの一端を連結固定し、連結ベルトの他端を踏桟中に通して他方の支脚に緊縛可能に連結したときには、左右の支脚と梯子の脚柱とを連結ベルトを用いた簡単な手段で一体化でき、しかも連結ベルトの緊縛、弛緩操作を迅速に行なうことができる。
【発明を実施するための最良の形態】
【００１９】
本発明は、左右一対の脚柱間に複数の踏桟を設けた梯子における転倒防止装置に係るものであり、左右の脚柱にそれぞれ支脚の基端部を取り付け、支脚の先端を脚柱の接地点の外側後方の領域すなわち脚柱の接地点よりも左右方向外側でかつ梯子の立掛面とは反対方向の領域に接地可能としたものである。すなわち、支脚の接地点が脚柱の接地点の外側後方の領域に位置するようにして、梯子を立て掛けて、梯子の上部で作業を行なう場合、左右方向（踏桟の中心軸方向）への安定が増すことは当然として、さらにドリル作業などのように作業内容によっては梯子を立て掛けた面と逆方向に反力が加わる場合があっても、支脚が脚柱の接地点よりも後方で接地して支持するので、梯子の後方への転倒を可及的に防止することが可能となる。
【００２０】
なお、本発明の転倒防止装置は、伸縮可能とした多段構造であって数メートル高さまで伸延可能な梯子に好適に適用することができ、高所での作業の安全性を著しく向上させることができる。なお、梯子の段数については何ら限定するものではない。
【００２１】
また、支脚を伸縮可能に構成し、支脚が所定長さとなるように適宜位置で固定可能とすることが好ましい。すなわち、支脚の長さを伸長するほど支脚の接地点を梯子脚柱の接地点より遠ざけることができ、より安定性を増すことができる。さらに、左右の支脚の長さを変更することにより、左右の支脚の各接地面の凹凸状態や段差に対応可能となる。したがって、梯子の使用個所に制限がほとんどなく、どのような場所でも高所作業を安全に行なうことが可能となる。
【００２２】
なお、支脚の伸縮構造としては、支脚を外管と外管内に摺動可能に配設した内管とから構成し、内管に所定ピッチで貫通孔を設けるとともに、外管に貫通孔に挿通するロック用ストッパピンを設けた構成とするとよい。
【００２３】
また、支脚の基端部を取付金具を介して脚柱に揺動可能に取り付ければ、支脚を脚柱の側部に沿って略平行状態に収納可能とすることができる。すなわち、前述したように、支脚を脚柱の接地点の外側後方の領域に接地可能とするだけでなく、支脚を邪魔になることなく収納することができるので、梯子の運搬時などに支脚が物にぶっかったりすることがなく、また収納時の保管スペースも小さくてすむので取扱性が良好となる。
【００２４】
また、左右の支脚の基端部を踏桟中に遊嵌した支脚繋材により連結して、互いに連動させるとよい。すなわち、一方の支脚を動かすことで他方の支脚も連動するので、支脚の後方への開脚の開脚角度が左右で一定となってバランスがよく、転倒防止作用を確実に発揮するとともに、支脚の開脚動作や収納動作などを迅速かつ簡単に行なうことができる。しかも、支脚繋材は外からは見えずスマートであり、しかも踏桟で保護されることになるので、外部からの衝撃が加わったりしても支脚繋材が曲がったりすることがなく、作動に悪影響を及ぼすおそれがない。
【００２５】
また、支脚の基端部の近傍にストッパピンを取り付け、取付金具に位置決孔を設け、位置決孔にストッパピンを挿入して、支脚の左右方向への開脚の開脚角度を位置決孔により規制するとよい。この場合、支脚の左右方向への開脚の開脚角度が一定に保持されるので、誤って支脚を蹴ったりしても支脚が動くことがなく安定している。
【００２６】
さらに、支脚と梯子とを一体化して（支脚の後方への開脚の開脚角度を制限して）より安定性を増すために、一方の支脚に連結ベルトの一端を連結固定し、連結ベルトの他端を踏桟中を通して他方の支脚に緊縛可能に連結することができる。このとき、連結ベルトには長さ調整機能を有するバックルなどを設けておく。このような構成とすれば、左右の支脚と梯子の脚柱とを連結ベルトを用いた簡単な手段で一体化でき、しかも連結ベルトの緊縛、弛緩操作を迅速に行なうことができる。
【００２７】
以下、本発明の実施の形態を、図面を参照しながらより具体的に説明する。なお、本案施の形態では、転倒防止装置を多段に伸縮可能とした伸縮式の梯子に取り付けたものとして説明するが、特に伸縮式の梯子に限定するものではなく、梯子としてはどのような形態のものであっても構わない。
【００２８】
図１は本実施の形態に係る転倒防止装置を具備する梯子の伸長状態を示す正面図、図２は図１に示した梯子を示す側面図、図３は図１に示した梯子を示す平面図、図４は図１に示した梯子の収縮状態を示す正面図である。
【００２９】
図に示すように、梯子Ａは接地具１ａを下端部に取り付けた下段梯子部Ａ１と、中段梯子部Ａ２と、上段梯子部Ａ３とからなる３段伸縮式に構成されており、主に軽量なアルミ合金材料により構成されている。
【００３０】
各梯子部Ａ１〜Ａ３は、それぞれ対向する左右一対の脚柱１〜３と、脚柱１〜３の間に架設された複数の踏桟４〜６とを具備しており、各脚柱１〜３同士は互いにそれぞれ往復摺動可能に連結されている。各梯子部Ａ１〜Ａ３の連結構造としては、下段梯子部Ａ１の上部に一定間隔をあけてガイドホルダＨを設け、ガイドホルダＨ内を摺動するように中段梯子部Ａ２を配設して、中段梯子部Ａ２を下段梯子部Ａ１の背面側に重なるようにしている。他方、中段梯子部Ａ２の脚柱２の内側部に摺動溝部（図示せず）を形成し、摺動溝部内を摺動するように上段梯子部Ａ３を配設している。そして、各梯子部Ａ１〜Ａ３間に周知のストッパ（収縮機構）を設けて所定の長さで固定可能とし、使用個所に応じて梯子Ａの高さを変更可能としている。
【００３１】
このような構成により、図１、図２に示すように、全体を伸長すれば十分な長さを確保して高所作業を行なうことができ、図４に示すように、全体を収縮すれば略一段の長さになるので、運搬が容易となるとともに、収納時には収納スペースが小さくてすむ。
【００３２】
また、梯子Ａは、上段梯子部Ａ３の先端部に安全フックＦを軸周りに回転可能にかつ軸線方向に伸縮可能に取り付けており、安全フックＦにより壁体に立て掛ける際には横ずれ防止を図ることができ、さらに例えば架線などには外れることなく立て掛けることができるようにしている。
【００３３】
このように、梯子Ａは所要高さまで可能に伸ばすことができるとともに、きわめてコンパクトに収縮することもできるので、使い勝手が良好で取扱いやすい。
【００３４】
また、下段梯子部Ａ１の左右の脚柱１にそれぞれ支脚７の基端部を取り付け、支脚７の先端を脚柱１の接地点の外側後方の領域に接地可能とした転倒防止装置Ｂを設けている。この転倒防止装置Ｂは実質的にアウトリガーのごとく機能する支脚７により構成されている。
【００３５】
図５は図１、図２に示した梯子の転倒防止装置を示す詳細図、図６は図５のＣ矢視図、図７は図５、図６に示した転倒防止装置の一部を示す図、図８は図５、図６に示した転倒防止装置の一部を示す図、図９は図５、図６に示した転倒防止装置の一部を示す分解斜視図である。図に示すように、転倒防止装置Ｂを実質的に構成する支脚７は各基端部７０を取付金具８を介して下段梯子部Ａ１の脚柱１に揺動可能に取り付けられている。すなわち、取付金具８が支脚７の基端となっており、取付金具８は脚柱１に揺動可能に取り付けられ、取付金具８に支脚７が取り付けられている。
【００３６】
また、各支脚７は伸縮可能に構成されており、各支脚７が所定長さとなるように適宜位置で固定可能としている。すなわち、図５、図６に示すように、それぞれ矩形筒状に形成した外管７１と、外管７１内に摺動可能に配設した内管７２とから支脚７が構成され、内管７２に所定ピッチで複数の貫通孔７３が設けられ、外管７１にロック用ストッパ７４が設けられ、ロック用ストッパ７４が貫通孔７３に挿通されている。また、支脚７の先端に接地用の端具７５が設けられ、端具７５は内管７２の先端部に枢軸７６を介して回転可能に取り付けられている。
【００３７】
また、支脚７を脚柱１に取り付けるための取付金具８は、図５〜図９に示すように、断面コ字状のチャンネル形状に形成されており、枢支ピン８１を介して支脚７を左右方向（図６紙面左右方向）に揺動可能に枢支している。すなわち、取付金具８の取付面８０の左右から折り返されて折り返し片８２が形成されており、折り返し片８２にピン挿通孔８１ａが設けられ、ピン挿通孔８１ａに枢支ピン８１が挿通されている。
【００３８】
さらに、折り返し片８２に位置決孔８３ａ、８３ｂが穿設され、支脚７の外管７１の基端部７０側であって、位置決孔８３ａ、８３ｂに対応する位置には弾性体であるコイルバネ７７により外方に付勢されたストッパピン７８が設けられ、位置決孔８３ａまたは位置決孔８３ｂにストッパピン７８が挿入されている。そして、位置決孔８３ｂにストッパピン７８が挿入されたときには、支脚７の左右方向（横方向）への開脚の開脚角度は位置決孔８３ｂにより規制されて、図６、図８の二点鎖線で示す位置で位置決め（固定）され、また位置決孔８３ａにストッパピン７８が挿入されたときには、支脚７は位置決孔８３ａにより図６、図８の実線で示す位置で位置決めされ、支脚７を使用せずに収納した状態とすることができる。
【００３９】
このような構成により、支脚７の左右方向の開脚角度が一定に保持され、誤って支脚７を蹴ったりしても支脚７は動くことなく安定し、安全である。
【００４０】
また、左右の取付金具８（左右の支脚７）同士は、踏桟４中に遊嵌したすなわち踏桟４中に回転可能に収納された円管状の支脚繋材９により連結されている。すなわち、図５〜図９に示すように、取付金具８の取付面８０に矩形孔８４が形成され、矩形孔８４に支脚繋材９の取付端部９０が嵌合され、支脚繋材９の端部に雌ネジ部９１が形成され、雌ネジ部９１に締結ボルト８５が螺合されており、取付金具８は締結ボルト８５により連結固定されている。なお、取付端部９０は取付金具８の矩形孔８４に対応して矩形形状に面取りして回り止めとしている。
【００４１】
このような構成としたことにより、一方の支脚７を動かすことで他方の支脚７も連動することになり、支脚７の後方（図５紙面右方）への開脚の開脚角度が左右の支脚７で等しくなってバランスがよくなり、転倒防止作用を確実に発揮することができる。しかも、支脚７の後方への開脚動作や収納動作などを迅速かつ簡単に行なうことができる。さらに、支脚繋材９は踏桟４内に嵌装されているので、支脚繋材９は外からは見えず見栄えがよく、なおかつ踏桟４で保護されることになるので、外部からの衝撃が加わったりしても、支脚繋材９が曲がったりすることがなく、作動に悪影響を及ぼすおそれがない。
【００４２】
図１０、図１１は図５、図６に示した転倒防止装置の一部を示す図である。図に示すように、支脚７と脚柱１とを一体化するために、一方（本実施の形態では左側）の支脚７に連結ベルト１０の一端を連結固定し、連結ベルト１０の他端を中空とした踏桟４の中を通して他方（本実施の形態では右側）の支脚７に緊縛可能に連結している。この連結ベルト１０は長さ調整機能を有するバックル１１に通されており、バックル１１は他方（右側）の支脚７の側面に取り付けたフック状のバックル受け１２に係上され、連結ベルト１０の端部を引っ張り適度な緊張をもたせて脚柱１と支脚７とを一体化させるようにしている。なお、連結ベルト１０の一端を支脚７に連結固定するために、左側の支脚７の外管７１側面にベルト連結具１３が取り付けられている。
【００４３】
このような構成としたことにより、左右の支脚７と梯子Ａの脚柱１とを連結ベルト１０を用いて簡単に一体化でき、しかも連結ベルト１０の緊縛、弛緩操作もバックル１１の操作により迅速に行なえて利便性が高い。
【００４４】
上述してきた構成により、図３に示すように、支脚７の先端に設けた端具７５を脚柱１の接地点の外側後方の領域に接地させることができ、例えば梯子Ａを立て掛けて、梯子Ａの上部でドリル作業などを行なう場合、梯子Ａを立て掛けた面と逆方向に反力が加わわっても、支脚７により支持することができるので、梯子Ａの後方への転倒を可及的に防止することが可能となり、安全性が向上する。しかも、梯子Ａの高さに応じて支脚７の長さを調整することができるようにしているので、支脚７の長さを伸長するほど、支脚７の接地点を梯子Ａの脚柱１の接地点より遠ざけることができるから、より安定性を増して高所作業の安全性を確保することができる。
【００４５】
また、図１２に示すように、左右の支脚７の長さを個別に変更することが可能であるから、転倒防止装置Ｂは左右の支脚７の各接地面の凹凸状態や段差に対応可能となっている。したがって、梯子Ａの使用個所に制限がほとんどなく、どのような場所でも高所作業を安全に行なうことが可能である。
【００４６】
また、支脚７はその基端部７０を取付金具８を介して脚柱１に左右方向に揺動可能に取り付けているので、支脚７を脚柱１の側部に沿って略平行状態に収納することもできるから、図１３に示すように、垂直壁面Ｗの近傍においても支障なく使用することができる。すなわち、垂直壁面Ｗ側の支脚７を脚柱１に接するようにし、また他方の支脚７を脚柱１に対して外側後方へ伸延させれば、支脚繋材９により連動連結しているので、左右の支脚７の後方への開脚の開脚角度は等しくなる。
【００４７】
また、支脚７の各基端部７０は取付金具８を介して脚柱１に揺動可能に取り付けられているから、図１４、図１５に示すように、支脚７を脚柱１の側部に沿って略平行状態に収納することができる。すなわち、支脚７を脚柱１の接地点の外側後方の領域に接地可能とするだけではなく、支脚７が邪魔になることなく脚柱１に沿って収納することができるので、梯子Ａの運搬時などに支脚７が物にぶっかったりすることがない。また、梯子Ａの収納時の保管スペースも小さくてすむので、取扱性が良好となる。
【００４８】
以上説明してきたように、本実施の形態によれば、梯子Ａを数メートル高さまで伸延可能な多段構造とし、しかも転倒防止装置Ｂを脚柱１の接地点の外側後方の領域に接地可能とした支脚７から構成したから、高所での作業の安全性を著しく向上させ、特に左右方向の安定度に加え、梯子Ａの上部でドリル作業などを行なってその反力を受けたとしても、支脚７により確実に支持することができるので、後方への転倒をも防止することができる。したがって、梯子Ａを使った高所作業でも梯子を押さえる補助者は不要となり、一人の作業者で所望する作業を遂行することができるので、作業効率が向上し、コスト削減を図ることが可能となる。
【図面の簡単な説明】
【００４９】
【図１】本実施の形態に係る転倒防止装置を具備する梯子の伸長状態を示す正面図である。
【図２】図１に示した梯子を示す側面図である。
【図３】図１に示した梯子を示す平面図である。
【図４】図１に示した梯子の収縮状態を示す正面図である。
【図５】図１、図２に示した梯子の転倒防止装置を示す詳細図である。
【図６】図５のＣ矢視図である。
【図７】図５、図６に示した転倒防止装置の一部を示す図である。
【図８】図５、図６に示した転倒防止装置の一部を示す図である。
【図９】図５、図６に示した転倒防止装置の一部を示す分解斜視図である。
【図１０】図５、図６に示した転倒防止装置の一部を示す図である。
【図１１】図５、図６に示した転倒防止装置の一部を示す図である。
【図１２】図５、図６に示した転倒防止装置の動作説明図である。
【図１３】図５、図６に示した転倒防止装置の動作説明図である。
【図１４】図５、図６に示した転倒防止装置の動作説明図である。
【図１５】図５、図６に示した転倒防止装置の動作説明図である。
【符号の説明】
【００５０】
Ａ…梯子
Ｂ…転倒防止装置
１〜３…脚柱
４〜６…踏桟
７…支脚
８…取付金具
９…支脚繋材
１０…連結ベルト
７０…基端部
７１…外管
７２…内管
７３…貫通孔
７４…ロック用ストッパ
７８…ストッパピン
８１…枢支ピン
８３ａ…位置決孔
８３ｂ…位置決孔
【図１】
2005139812.tif 000003
【図２】
2005139812.tif 000004
【図３】
2005139812.tif 000005
【図４】
2005139812.tif 000006
【図５】
2005139812.tif 000007
【図６】
2005139812.tif 000008
【図７】
2005139812.tif 000009
【図８】
2005139812.tif 000010
【図９】
2005139812.tif 000011
【図１０】
2005139812.tif 000012
【図１１】
2005139812.tif 000013
【図１２】
2005139812.tif 000014
【図１３】
2005139812.tif 000015
【図１４】
2005139812.tif 000016
【図１５】
2005139812.tif 000017